(57)【要約】【課題】処理を実行させる指示を行うことで、原稿の内容を表す原画像と原画像を参考に編集される編集用文書とを生成することが可能な画像処理装置を提供する。【解決手段】画像処理装置２は、原稿の読取処理を行う画像読取部２４と、読取処理を含む処理を実行させる指示に基づいて、原稿を画像読取部２４により読み取らせて原稿の内容を表す原画像２２１を生成し、原画像２２１を構成要素ごとに分離し、構成要素から編集用文書２２２を生成する実行手段２１０とを備える。【選択図】図１
2018006986.tif 000002
【特許請求の範囲】
【請求項１】
原稿の読取処理を行う読取部と、
前記読取処理を含む処理を実行させる指示に基づいて、前記原稿を前記読取部に読み取らせて前記原稿の内容を表す原画像を生成し、前記原画像を構成要素ごとに分離し、前記構成要素から編集用文書を生成する実行手段と、
を備えた画像処理装置。
【請求項２】
前記実行手段は、前記処理の一部として前記原画像及び前記編集用文書を指定された送信先に送信する、
請求項１に記載の画像処理装置。
【請求項３】
前記実行手段は、前記読取処理によって得られた読取画像から前記原画像を生成する原画像生成手段と、前記原画像を構成要素ごとに分離する構成要素分離手段と、前記構成要素から前記編集用文書を生成する編集用文書生成手段と、
を備えた請求項１に記載の画像処理装置。
【請求項４】
前記実行手段は、前記構成要素が文字である場合は、前記文字について光学文字認識処理を行う、
請求項１に記載の画像処理装置。
【請求項５】
前記原画像生成手段及び前記編集用文書生成手段は、同一のファイル形式の前記原画像及び前記編集用文書を生成する、
請求項３に記載の画像処理装置。
【発明の詳細な説明】
【技術分野】
【０００１】
本発明は、画像処理装置に関する。
【背景技術】
【０００２】
従来、スキャナで読み取って得られる読取画像を指定された送信先に送信する際、指定された画像ファイル形式で画像を送信する画像処理装置が提案されている（例えば、特許文献１参照）。
【０００３】
特許文献１に記載された画像処理装置は、給紙機構にセットされた原稿を順次読み取るスキャナ部と、読み取られた読取画像を所定のファイルに追加する形で記憶する記憶部と、記憶部に記憶された所定のファイル中の読取画像を指定されたファイルフォーマットのファイルに変換する変換手段と、変換されたファイルを指定された送信宛先に送信する送信手段とを備える。
【先行技術文献】
【特許文献】
【０００４】
【特許文献１】特開２００５−１６７９３８号公報
【発明の概要】
【発明が解決しようとする課題】
【０００５】
本発明の目的は、処理を実行させる指示を行うことで、原稿の内容を表す原画像と原画像を参考に編集される編集用文書とを生成することが可能な画像処理装置を提供することにある。
【課題を解決するための手段】
【０００６】
［１］原稿の読取処理を行う読取部と、
前記読取処理を含む処理を実行させる指示に基づいて、前記原稿を前記読取部に読み取らせて前記原稿の内容を表す原画像を生成し、前記原画像を構成要素ごとに分離し、前記構成要素から編集用文書を生成する実行手段と、を備えた画像処理装置。
［２］前記実行手段は、前記処理の一部として前記原画像及び前記編集用文書を指定された送信先に送信する、前記［１］に記載の画像処理装置。
［３］前記実行手段は、前記読取処理によって得られた読取画像から前記原画像を生成する原画像生成手段と、前記原画像を構成要素ごとに分離する構成要素分離手段と、前記構成要素から前記編集用文書を生成する編集用文書生成手段と、を備えた前記［１］に記載の画像処理装置。
［４］前記実行手段は、前記構成要素が文字である場合は、前記文字について光学文字認識処理を行う、前記［１］に記載の画像処理装置。
［５］前記原画像生成手段及び前記編集用文書生成手段は、同一のファイル形式の前記原画像及び前記編集用文書を生成する、前記［３］に記載の画像処理装置。
【発明の効果】
【０００７】
請求項１、３に係る発明によれば、処理を実行させる指示を行うことで、原稿の内容を表す原画像と原画像を参考に編集される編集用文書とを生成することが可能になる。
請求項２に係る発明によれば、処理を実行させる指示を行うことで、原画像と編集用文書を指定された送信先に送信することが可能になる。
請求項４に係る発明によれば、文字認識処理の結果を編集用文書で修正することができる。
請求項５に係る発明によれば、原画像及び編集用文書を同一のアプリケーションで開くことができ、原画像を表示させながら編集用文書に対して編集作業を行うことができる。
【図面の簡単な説明】
【０００８】
【図１】図１は、本発明の実施の形態に係る画像処理システムの概略の構成例を示すブロック図である。
【図２】図２は、画像処理装置の概略の構成例を示すブロック図である。
【図３】図３（ａ）は、原画像の一例を示す図、図３（ｂ）は、編集用文書の一例を示す図である。
【図４】図４は、端末装置の表示部に表示された表示画面の一例を示す図である。
【図５】図５は、画像処理装置の動作の一例を示すフローチャートである。
【図６】図６は、編集用文書のファイル形式として、ＥＸＣＥＬの表計算ファイルが選択された場合の原画像と編集用文書の一例を示す図である。
【発明を実施するための形態】
【０００９】
以下、本発明の実施の形態について図面を参照して説明する。なお、各図中、実質的に同一の機能を有する構成要素については、同一の符号を付してその重複した説明を省略する。
【００１０】
図１は、本発明の実施の形態に係る画像処理システムの概略の構成例を示す図である。この画像処理システム１は、画像処理装置２と、サーバ装置３と、端末装置４とがネットワーク５を介して互いに接続されている。
【００１１】
サーバ装置３は、画像処理装置２からネットワーク５を介して送信されたファイルを記憶部に記憶するとともに、端末装置４からアクセスがあったときは、ファイルをネットワーク５を介して端末装置４に送信する。
【００１２】
端末装置４は、ネットワーク５を介してサーバ装置３にアクセスしてファイルを編集する。端末装置４は、ＣＰＵ（Central Processing Unit）、インターフェース等から構成され、端末装置４の各部を制御する制御部と、ＲＯＭ（Read Only Memory）、ＲＡＭ（Random Access Memory）、ハードディスク等で構成された記憶部と、キーボード、マウス等で構成された入力部と、液晶ディスプレイ等で構成された表示部と、ネットワーク５に接続された通信部とを有する。
【００１３】
ネットワーク５は、有線通信及び無線通信等によりデータの送受信を行うＬＡＮ（ローカルエリアネットワーク）、インターネット等の通信網である。
【００１４】
図２は、画像処理装置２の概略の構成例を示すブロック図である。画像処理装置２は、例えば、コピー、スキャン、プリント、ファックス等の複数の機能を備えた複合機であり、画像処理装置２の各部を制御する制御部２０を有し、この制御部２０に、記憶部２２、表示操作部２３、画像読取部２４、画像処理部２５、画像出力部２６、ファクシミリ部２７、通信部２８が接続されている。画像読取部２４は、読取部の一例である。
【００１５】
記憶部２２は、ＲＯＭ（Read Only Memory）、ＲＡＭ（Random Access Memory）、ハードディスク等で実現され、プログラム２２０、原画像２２１、編集用文書２２２等を記憶する。
【００１６】
表示操作部２３は、液晶ディスプレイ等の表示部にタッチパネルが重合配置されたタッチパネルディスプレイを有し、操作画面を表示部に表示するとともに、操作者からタッチパネルへの操作を受け付ける。
【００１７】
画像読取部２４は、原稿の読取処理を行うものであり、例えば原稿台上に設けられた自動原稿送り装置と、スキャナとを備え、原稿台に配置された原稿、又は自動原稿送り装置により送られた原稿から読取画像を読み取って入力する。画像処理部２５は、画像の圧縮、伸張、合成等の画像処理を行う。画像出力部２６は、例えば感光体による画像保持体を有し、用紙等の記録媒体に画像を形成して出力する。ファクシミリ部２７は、Ｇ３、Ｇ４等のファクシミリプロトコルに従ってデータの変復調を行い、電話回線を介してファクシミリ通信を行う。
【００１８】
制御部２０は、ＣＰＵ（Central Processing Unit）、インターフェース等から構成されている。ＣＰＵは、記憶部２２に記憶されたプログラム２２０に従って動作することにより、受付手段２００、実行手段２１０等として機能する。実行手段２１０には、原画像生成手段２１１、オブジェクト分離手段２１２、編集用文書生成手段２１３、送信手段２１４等が含まれている。オブジェクト分離手段２１２は、構成要素分離手段の一例である。オブジェクトは、構成要素の一例である。
【００１９】
受付手段２００は、表示操作部２３から、画像読取部２４による読取処理を含む一連の処理を実行させる指示（以下「連携ジョブ」という。）や単一の処理を実行させるジョブ（以下「単一ジョブ」という。）を受け付ける。また、受付手段２００は、端末装置４からジョブが送信されて受け付ける場合もある。受付手段２００は、受け付けた連携ジョブ又は単一ジョブを実行手段２１０に渡す。
【００２０】
連携ジョブは、例えば、原稿を読み取って原稿の内容を表す原画像を生成する「原画像生成処理」、原画像をオブジェクトごとに分離する「分離処理」、分離処理により分離されたオブジェクトから編集用文書を生成する「文書生成処理」、及び原画像と編集用文書を指定された送信先に送信する「送信処理」を１つのジョブとして連携して実行させるジョブである。この連携ジョブにより、原画像を生成するために印刷ジョブを実行させ、編集用文書を生成するために２回目の印刷ジョブを実行させるという手間が省かれる。指定された送信先は、例えばサーバ装置３であるが、端末装置４でもよい。なお、連携ジョブとして、「原画像生成処理」、「分離処理」、「文書生成処理」を１つのジョブとして連携して実行させるものでもよい。
【００２１】
単一ジョブには、例えば、原稿台に配置した原稿を用紙に印刷させる印刷ジョブや、画像読取部２４、画像処理部２５、画像出力部２６、又はファクシミリ部２７を制御して実行させるジョブがある。
【００２２】
また、受付手段２００は、画像読取条件及び出力条件を受け付ける。画像読取条件には、原画像のファイル形式、読取解像度、カラー／白黒、読取サイズ等がある。出力条件には、編集用文書のファイル形式、送信先等がある。なお、原画像は、編集用文書の基準となる画像でもあるので、原稿がカラーであり、原画像が白黒でもよい。原画像のファイル形式には、ＪＰＥＧ（Joint Photographic Experts Group）、ＴＩＦＦ（Tagged Image File Format）、ＰＤＦ（Portable Document Format）、ＧＩＦ（Graphics Interchange Format）、ＰＮＧ（Portable Network Graphics）等がある。編集用文書のファイル形式には、ＷＯＲＤ（登録商標）等の文書ファイル、ＥＸＣＥＬ（登録商標）等の表計算ファイル、ＤｏｃｕＷｏｒｋｓ（登録商標）等のファイル形式があり、これらは端末装置４で編集可能なファイル形式である。
【００２３】
実行手段２１０は、連携ジョブに基づいて、原稿を画像読取部２４に読み取らせて原画像を生成し、原画像をオブジェクトごとに分離し、オブジェクトから編集用文書を生成し、原画像及び編集用文書を指定された送信先に送信する一連の処理を実行する。すなわち、実行手段２１０は、受付手段２００が受け付けたジョブが連携ジョブのとき、原画像生成手段２１１、オブジェクト分離手段２１２、編集用文書生成手段２１３、送信手段２１４によって、一連の処理を実行する。なお、実行手段２１０は、受付手段２００から渡されたジョブによっては画像処理部２５、画像出力部２６、ファクシミリ部２７等を制御して処理を実行する場合もある。
【００２４】
原画像生成手段２１１は、画像読取条件に従い、画像読取部２４及び画像処理部２５を制御して原稿から読み取って原画像を生成する「原画像生成処理」を行う。画像読取部２４は、原稿をＲＧＢラインセンサにより読み取り、ＲＧＢ形式の読取画像を出力する。原画像生成手段２１１は、ＲＧＢ形式の読取画像を画像処理部２５により指定されたファイル形式に変換させることで原画像を生成する。例えば、読取画像をＪＰＥＧのファイル形式で一旦生成したのち、後述する表示画面２３０に表示する原画像として、そのままＪＰＥＧのファイル形式のまま用いてもよいし、ＰＤＦのファイル形式やＤｏｃｕＷｏｒｋｓのファイル形式に変換して用いてもよい。
【００２５】
オブジェクト分離手段２１２は、原画像をオブジェクトごとに分離する「分離処理」を行う。オブジェクトには、絵、図形、表、文字、オートシェイプ等がある。オートシェイプは、ＷＯＲＤ、ＥＸＣＥＬ、Power Point（登録商標）等で使用されるグラフィックオブジェクトである。オブジェクトは、画像又は文書を構成する構成要素の一例である。
【００２６】
編集用文書生成手段２１３は、出力条件に従い、分離処理により分離されたオブジェクトから指定されたファイル形式の編集用文書を生成する「文書生成処理」を行う。編集用文書生成手段２１３は、例えば、編集用文書のファイル形式としてＷＯＲＤが指定された場合は、ＷＯＲＤ文書にオブジェクトを貼り付けることで編集用文書を作成する。また、編集用文書生成手段２１３は、例えば、編集用文書のファイル形式としてＥＸＣＥＬが指定された場合は、ＥＸＣＥＬのシートにオブジェクトを貼り付けることで編集用文書を作成する。また、編集用文書生成手段２１３は、文字のオブジェクトについてはＯＣＲ（光学文字認識）処理を行う。ＯＣＲ処理を行った場合、文字が誤って認識されることがある。そのために編集用文書を生成して誤って認識された文字を修正する必要がある。
【００２７】
編集用文書生成手段２１３は、出力条件により、同一のファイル形式の原画像及び編集用文書を生成することが可能になっている。同一のファイル形式の原画像及び編集用文書とは、同一のアプリケーションで原画像及び編集用文書を開くことができるファイル形式で作成された原画像及び編集用文書をいう。以下に、その出力条件の例を説明する。
【００２８】
出力条件として、１ページ目のＷＯＲＤ文書に原画像２２１を貼り付け、２ページ目をＷＯＲＤの編集用文書２２２とした１つのＷＯＲＤファイルを送信としてもよい。複数の原稿を画像読取部２４で読み取った場合は、原稿ごとにＷＯＲＤファイルが作成される。この出力条件によれば、同じＷＯＲＤのアプリケーションで原画像２２１と編集用文書２２２を開き、両者を同一画面に並べて編集用文書２２２の編集作業を行うことができる。
【００２９】
また、他の出力条件として、ＷＯＲＤ文書に原画像２２１を貼り付けた第１のＷＯＲＤファイルと、編集用文書２２２をＷＯＲＤ形式とした第２のＷＯＲＤファイルを送信してもよい。複数の原稿を画像読取部２４で読み取った場合は、例えば、原稿の読取順序に対応した複数の原画像２１１を含む第１のＷＯＲＤファイルと、原稿の読取順序に対応した複数の編集用文書２２２を含む第２のＷＯＲＤファイルが作成される。この出力条件によっても、同じＷＯＲＤのアプリケーションで原画像２２１と編集用文書２２２を開き、両者を同一画面に並べて編集用文書２２２の編集作業を行うことができる。
【００３０】
送信手段２１４は、原画像２２１及び編集用文書２２２を指定された送信先に送信する「送信処理」を行う。
【００３１】
なお、受付手段２００、実行手段２１０は、それぞれ一部又は全部を再構成可能回路（ＦＰＧＡ：Field Programmable Gate Array）、特定用途向け集積回路（ＡＳＩＣ：Application Specific Integrated Circuit）等のハードウェア回路によって構成してもよい。
【００３２】
（画像処理システムの動作）
本実施の形態に係る画像処理システム１の動作の一例を図３から図５を参照して説明する。図３（ａ）は、原画像２２１の一例を示す図、図３（ｂ）は、編集用文書２２２の一例を示す図である。図４は、端末装置４の表示部に表示された表示画面の一例を示す図である。図５は、画像処理装置２の動作の一例を示すフローチャートである。
【００３３】
ユーザは、例えば、画像処理装置２の自動原稿送り装置の原稿給紙トレーに複数の原稿を配置し、表示操作部２１を操作して表示操作部２１にメニュー画面を表示させる。ユーザは、メニュー画面から連携ジョブを選択する。続いて、ユーザは、表示操作部２１を操作して表示操作部２１に入力画面を表示させ、入力画面上で画像読取条件及び出力条件を入力する。
【００３４】
画像処理装置２の受付手段２００は、入力された画像読取条件及び出力条件を受け付ける（Ｓ１）。画像読取条件の一つの原画像のファイル形式として、ＪＰＥＧが選択され、出力条件の一つとして、１ページ目のＷＯＲＤ文書に原画像２２１を貼り付け、２ページ目をＷＯＲＤの編集用文書２２２とした１つのＷＯＲＤファイルが選択されたとする。また、出力条件の一つの送信先として、サーバ装置３が選択されたとする。
【００３５】
次に、ユーザは、表示操作部２１を操作して入力画面上のスタートボタンを選択して連携ジョブの実行開始指示を行う。受付手段２００は、連携ジョブの実行開始指示を受け付ける（Ｓ２）。
【００３６】
受付手段２００は、受け付けた画像読取条件及び出力条件を実行手段２１０に通知する。実行手段２１０は、通知された画像読取条件及び出力条件に基づいて連携ジョブを実行する。
【００３７】
まず、原画像生成手段２１１は、画像読取条件に従って画像読取部２４及び画像処理部２５を制御して原稿から原画像を生成する原画像生成処理を行う（Ｓ３）。すなわち画像読取部２４は、自動原稿送り装置により１枚ずつ送られた原稿から読取画像を読み取る。原画像生成手段２１１は、読取画像を画像処理部２５によって処理することにより原画像２２１を生成し、原画像２２１を記憶部２２に記憶する。
【００３８】
この原画像２２１には、図３（ａ）に示すように、文字１０１、オートシェイプ１０２、絵１０３、表１０４のオブジェクトが含まれている。
【００３９】
オブジェクト分離手段２１２は、原画像生成手段２１１が生成した原画像２２１をオブジェクトごとに分離する分離処理を行う（Ｓ４）。図３（ａ）に示す原画像２２１の場合は、オブジェクト分離手段２１２は、原画像２２１を文字１０１、オートシェイプ１０２、絵１０３、表１０４のオブジェクトに分離する。
【００４０】
編集用文書生成手段２１３は、分離処理により分離されたオブジェクトから出力条件で指定されたファイル形式の編集用文書２２２を生成する文書生成処理を行う（Ｓ５）。
【００４１】
編集用文書生成手段２１３は、図３（ｂ）に示すように、文字１０１、オートシェイプ１０２、絵１０３、表１０４のオブジェクトからなるＷＯＲＤのファイル形式の編集用文書２２２を生成する。そして、編集用文書生成手段２１３は、出力条件に従い、１ページ目のＷＯＲＤ文書に原画像２２１を貼り付け、２ページ目をＷＯＲＤの編集用文書２２２とした１つのＷＯＲＤファイルを作成する。
【００４２】
送信手段２１４は、原画像２２１及び編集用文書２２２を含むＷＯＲＤファイルを指定された送信先に送信する送信処理を行う。送信先としてサーバ装置３が指定されているので、送信手段２１４は、原画像２２１及び編集用文書２２２を含むＷＯＲＤファイルを通信部２８及びネットワーク５を介してサーバ装置３に送信する（Ｓ６）。
【００４３】
原画像２２１及び編集用文書２２２を含むＷＯＲＤファイルがサーバ装置３に送信されると、サーバ装置３は、送信されたＷＯＲＤファイルを記憶部に記憶する。ユーザは端末装置４を操作してネットワーク５を介してサーバ装置３にアクセスし、原画像２２１及び編集用文書２２２を含むＷＯＲＤファイルを端末装置４の記憶部に取り込み、原画像２２１及び編集用文書２２２を表示部に表示する。
【００４４】
ユーザは端末装置４の表示部の表示画面２３０に、図４に示すように、左側に原画像２２１を表示させ、右側に編集用文書２２２を表示させる。このように、原画像２２１と編集用文書２２２が一度に視認可能なように表示画面２３０に表示させることで、ユーザは、原画像２２１を見ながら編集用文書２２２の誤っている文字等を入力部を操作して修正する。
【００４５】
（ＥＸＣＥＬの表計算ファイル）
図６は、編集用文書のファイル形式として、ＥＸＣＥＬの表計算ファイルが選択された場合の原画像２２１と編集用文書２２２の一例を示す図である。図６に示すように、出力条件として、ＥＸＣＥＬの表計算ファイルの同一のシート１１０の左側に編集用文書２２２を配置し、右側に原画像２２１を配置するか、左側に原画像２２１を配置し、右側に編集用文書２２２を配置するように指定してもよい。複数の原稿を画像読取部２４で読み取った場合は、複数のシートにそれぞれ原稿に対応する原画像２２１と編集用文書２２２が配置される。この出力条件によれば、同じＥＸＣＥＬのアプリケーションで原画像２２１と編集用文書２２２を開き、両者を同一画面に並べて編集用文書２２２の編集作業を行うことができる。
【００４６】
なお、出力条件として、原画像２２１と編集用文書２２２を異なるシートに配置してもよい。また、出力条件で印刷領域を編集用文書２２２のみに設定してもよい。これにより編集用文書２２２を編集した後に印刷して確認する際、無駄な印刷を省くことができる。
【００４７】
（他の実施の形態）
なお、本発明の実施の形態は、上記実施の形態に限定されるものではなく、本発明の要旨を変更しない範囲内で種々に変形実施が可能である。例えば、編集用文書生成手段２１３は、オブジェクトの分離の結果、絵１０３のオブジェクトしか存在しなかった場合は、編集用文書を生成しなくてもよい。
【００４８】
出力条件として、ＰＤＦにＪＰＥＧの原画像２２１を貼り付けたＤｏｃｕｗｏｒｋｓ文書ファイルと、編集用文書２２２をＷＯＲＤ形式としたＷＯＲＤファイルを送信してもよい。
【００４９】
また、本発明の要旨を変更しない範囲内で、実施の形態のフローにおいて、ステップの追加、削除、変更、入替え等が可能である。また、上記実施の形態で用いたプログラムをＣＤ−ＲＯＭ等のコンピュータ読み取り可能な記録媒体に記録して提供することもできる。
【符号の説明】
【００５０】
１…画像処理システム、２…画像処理装置、３…サーバ装置、４…端末装置、
５…ネットワーク、２０…制御部、２１…表示操作部、２２…記憶部、
２３…表示操作部、２４…画像読取部、２５…画像処理部、２６…画像出力部、
２７…ファクシミリ部、２８…通信部、
１０１…文字、１０２…オートシェイプ、１０３…絵、１０４…表、
１１０…シート、２００…受付手段、１０…実行手段、２１１…原画像生成手段、
２１２…オブジェクト分離手段、２１３…編集用文書生成手段、２１４…送信手段、
２２０…プログラム、２２１…原画像、２２２…編集用文書、
２３０…表示画面
【図１】
2018006986.tif 000003
【図２】
2018006986.tif 000004
【図３】
2018006986.tif 000005
【図４】
2018006986.tif 000006
【図５】
2018006986.tif 000007
【図６】
2018006986.tif 000008